(57)【要約】【課題】携帯性が良好で、カーソルの移動操作および情報の選択を決定する決定操作の操作性が良い携帯端末機を提供する。【解決手段】携帯端末機において、手指、ペン等の指示体の接触位置の２次元座標を出力するとともに、前記指示体の押圧力に応じて異なる信号を出力するタッチパッド部９を操作手段とし、情報とカーソルを表示する表示手段と、タッチパッド部９の操作に応じて、前記カーソルを移動する移動処理と前記情報の選択を決定する決定処理とを行う制御手段とを備え、更に、タッチパッド部９上に、タッチパッド上をタップ操作することによりカーソルを移動させるカーソル移動領域と、同じくタッチパッド上をタップ操作することにより情報の選択決定を行う決定領域とを設ける。【選択図】      図１
2004166109.tif 000002
【特許請求の範囲】
【請求項１】
操作手段と、情報とカーソルを表示する表示手段と、前記操作手段による操作に応じて前記カーソルを移動させる移動処理と前記情報の選択を決定する決定処理を行う制御手段と、を備えた携帯端末機において、
前記操作手段は、指示体の接触位置の２次元座標を出力するとともに、前記指示体の押圧力に応じて異なる信号を出力するタッチパッドから成ることを特徴とする携帯端末機。
【請求項２】
前記タッチパッドは、所定値を超える押圧力が加わったときに、前記カーソルを所定方向に移動させる領域と、前記情報の選択を決定する決定領域と、を有することを特徴とする請求項１に記載の携帯端末機。
【請求項３】
前記タッチパッドは、所定値を超える押圧力が加わったときに、前記カーソルを前記表示手段における上方向に移動させる上移動領域と、下方向に移動させる下移動領域と、左方向に移動させる左移動領域と、右方向に移動させる右移動領域と、前記情報の選択を決定する決定領域と、を有することを特徴とする請求項１に記載の携帯端末機。
【請求項４】
前記決定領域の上方に前記上移動領域、下方に前記下移動領域、左方に前記左移動領域、および右方に前記右移動領域を配置したことを特徴とする請求項３に記載の携帯端末機。
【請求項５】
前記カーソルは、押圧力が加わるごとに所定距離だけ移動することを特徴とする請求項２〜請求項４のいずれかに記載の携帯端末機。
【請求項６】
前記指示体が所定値より小さい押圧力で前記操作手段上を移動したときに、前記カーソルを前記指示体の接触位置の移動に応じて移動させることを特徴とする請求項１〜請求項５のいずれかに記載の携帯端末機。
【請求項７】
操作手段と、情報とカーソルを表示する表示手段と、前記操作手段による操作に応じて前記カーソルを移動させる移動処理と前記情報の選択を決定する決定処理を行う制御手段と、を備えた装置において、
前記操作手段は、指示体の接触位置の２次元座標を出力するとともに、前記指示体の押圧力に応じて異なる信号を出力するタッチパッドから成ることを特徴とする装置。
【発明の詳細な説明】
【０００１】
【発明の属する技術分野】
本発明は、携帯電話機等の携帯端末機に関するものであり、特に、表示画面上におけるカーソル（ポインタともいう）の移動操作や、表示された情報の選択を決定する決定操作を入力するための入力装置を備えた携帯端末機に関するものである。
【０００２】
【従来の技術】
近年、携帯端末機の機能はますます増えてきている。それに伴って、いかに操作を簡単にするかは重大な課題のひとつであり、入力装置および入力操作方法はその課題を解決するための重要な要素である。特に、カーソルの移動操作および情報の選択を決定する決定操作は他の入力操作に比して使用頻度が高いので、これらの入力操作をいかに迅速に行えるようにするかが重要である。
【０００３】
従来の携帯端末機の、カーソルの移動操作および情報の選択を決定する決定操作を行う入力装置として、カーソルが表示される表示画面上における上下左右方向にカーソルを移動させる移動キーを情報の選択を決定する決定キーの周りに配置したものがある。また、情報を表示するＬＣＤにタッチパッド構造を内蔵したポインティングシステム、レバーにてポインティング操作を行うポインティングシステムがある。また、一体的に構成されてなる回動および押下可能な操作手段を入力装置としたものもある（例えば、特許文献１参照）。
【０００４】
【特許文献１】
特開平１０−７０５９８号公報  （第２−４頁、第１図）
【０００５】
【発明が解決しようとする課題】
携帯端末機の入力装置に求められることで重要なことは、携帯性が良い、即ち、携帯に好適である構造であることと、操作性が良いことである。ここで、操作性とはカーソルの移動操作および情報の選択を決定する決定操作の操作性のことである。また、カーソルの移動操作については、カーソルを連続的に移動させる連続移動操作と、カーソルを、メニュー項目等の表示された情報に対応した１移動単位分だけ移動させる単一移動操作とがある。
【０００６】
前記連続移動操作とは、例えば、ポインティングデバイスとしてマウスを使用したパーソナルコンピュータにおいて、カーソルを移動させるためにマウスを移動させる操作のことであり、前記決定操作とは、例えば、ポインティングデバイスとしてマウスを使用したパーソナルコンピュータにおいて、マウスの操作によって選択した情報を、選択したことを決定するときに行うマウスに設けられたキーのクリック操作のことである。また、１移動単位分の単一移動操作とは、例えば、キーボードを有するパーソナルコンピュータにおいて、複数のメニュー項目が表示されている場合に、キーボードに設けられた矢印キーまたはＴＡＢキーを押下することによって隣のメニュー項目へカーソルを移動させる移動操作、また、文字列やセルが表示されている場合に、矢印キーによって隣の行または列へカーソルを移動させる移動操作のことである。
【０００７】
しかしながら、上述した携帯端末機の携帯性および操作性について、情報を表示するＬＣＤにタッチパッドを内蔵したポインティングシステムでは、携帯性を良くするためにＬＣＤをあまり大きくすることができず、ＬＣＤが大きくないと操作性が悪くなるという問題があった。また、入力操作に使用するペン状のものを携帯する必要があり、これにより携帯性が悪くなるという問題もあった。
【０００８】
また、表示画面上における上下左右方向にカーソルを移動させる移動キーを決定キーの周りに配置した入力装置は、携帯性、決定操作およびカーソルの単一移動操作の操作性については問題ないが、カーソルの連続移動操作ではキーを何度も押下する必要があり、操作が面倒であるという問題があった。
【０００９】
また、レバーにてポインティング操作を行うポインティングシステムについては、携帯性、決定操作およびカーソルの連続移動操作の操作性については問題ないが、カーソルの移動距離が短い場合の移動操作が困難であり、これにより単一移動操作の操作性が悪いという問題があった。
【００１０】
また、特許文献１に記載の従来技術によると、携帯性、決定操作およびカーソルの単一移動操作の操作性を良好にすることはできるが、カーソルの連続移動操作については、カーソルを表示画面上の上下方向または左右方向のいずれか一方向にのみ連続移動させることが可能であり、他方向への連続移動をさせることができないという問題があった。
【００１１】
本発明は、上記の点に鑑み、携帯性が良く、また、カーソルの移動操作および情報の選択を決定する決定操作の操作性が良い携帯端末機を提供することを目的とする。
【００１２】
【課題を解決するための手段】
上記目的を達成するために本発明は、例えば携帯端末機において、手指、ペン等の指示体の接触位置の２次元座標を出力するとともに、前記指示体の押圧力に応じて異なる信号を出力するタッチパッドを操作手段とし、情報とカーソルを表示する表示手段と、前記操作手段の操作に応じて、前記カーソルを移動させる移動処理と前記情報の選択を決定する決定処理とを行う制御手段とを設けたものである。尚、このようなものは、携帯端末機に限定されるものでなく、据置型の機器（装置）にも適用される。
【００１３】
この発明の携帯端末機によれば、カーソル移動操作および情報の選択決定操作を電気信号に変換して伝える入力装置としてタッチパッドを用いたので、携帯端末機の形状を小さく、また、平面的にすることができる。これにより、携帯端末機の携帯性を良好にすることができる。尚、携帯端末機を更に小型にして携帯性をいっそう良くするために、タッチパッドは小型のものにすることが好ましい。また、タッチパッドはＬＣＤ等の表示装置から独立して設けることが好ましい。タッチパッドをＬＣＤ等の表示装置に内蔵してしまうと、操作中のＬＣＤの視認性が悪くなり操作性が悪くなるからである。
【００１４】
また、指示体の接触位置の２次元座標を得ることができるので、指示体をタッチパッド上に接触させながら移動させると、この移動に応じてカーソルを任意の方向に自在に連続移動させることができる。従って、カーソルを連続移動させる連続移動操作の操作性を良好にすることができる。
【００１５】
また、指示体がタッチパッドを押下する圧力に応じた異なった信号を得ることができるので、タッチパッド上で行われたタップ操作（軽く叩く操作）を検出することができる。即ち、所定値を超える圧力が加わったときに出力される信号を得ることによって、タップ操作が行われたことを検出できる。そして、タッチパッド上でタップ操作が行われたことを検出したときに、前記表示手段によって表示された情報の選択を決定する決定処理を行うことができるので、情報の選択決定操作が他のキー等を使用せず簡単に行える。尚、タッチパッドを押下する圧力を検出する手段として、タッチパッドの裏面に重ねる形で圧力センサを設けても良い。
【００１６】
また、例えば、タッチパッド上でタップ操作が行われたときに、カーソルを表示手段における上方向に移動させる上移動領域と、下方向に移動させる下移動領域と、右方向に移動させる右移動領域と、左方向に移動させる左移動領域と、前記情報の選択を決定する決定領域とを前記タッチパッド上に設けると良い。
【００１７】
このようにすると、前記制御手段が、指示体の押圧力の強弱の違いによってタッチパッド上でタップ操作が行われたことを検出したときに、更に、圧力が加わった接触位置の２次元座標によってタップ操作された位置が前記上移動領域内、下移動領域内、右移動領域内、左移動領域内、および決定領域内のいずれの領域であるかを判別することができ、タップ操作された位置が前記上移動領域内である場合は、カーソルを表示手段における上方向に、下移動領域内である場合は下方向に、右移動領域内である場合は右方向に、左移動領域内である場合は左方向に移動することができる。これにより、カーソルの移動操作をタッチパッド上のタップ操作で行うことができ、操作性が良好となる。また、カーソル移動操作を行うために、矢印キー等の他の入力装置を必要としないので、省スペース化、低コスト化が図れる。
【００１８】
尚、カーソルの移動は、一度のタップ操作につき、現在表示されている情報に対応した所定距離（１移動単位分）移動することが好ましい。これにより、カーソルを単一移動させる単一移動操作の操作性を良好にすることができる。
【００１９】
そして、タップ操作された位置が前記決定領域内である場合は、表示手段によって表示された情報の選択を決定する決定処理を行うことができる。従って、情報の選択を決定する決定操作を、他のキー等を用いることなく、パッチパッド上のタップ操作で行うことができるので、操作性が良好となる。また、決定操作をおこなうために、決定キー等の他の入力装置を必要としないので、省スペース化、低コストが図れる。
【００２０】
また、例えば、前記決定領域の上方に前記上移動領域、下方に前記下移動領域、左方に前記左移動領域、および右方に前記右移動領域を配置すると良い。
【００２１】
このようにすると、タッチパッド上で、表示手段における上下左右方向のカーソルを移動させたい方向と同一の方向の付近をタップ操作すると、カーソルが所望の方向に移動するので、ユーザにとってはカーソルの移動操作方法の理解が容易となる。従って、カーソルを単一移動させる単一移動操作の操作性をいっそう良好にすることができる。また、前記上下左右の移動領域以外の領域であるタッチパッドの中央付近をタップ操作すると、表示する情報の選択を決定する決定処理を行うことができる。これにより、ユーザにとっては情報の決定操作方法の理解が容易となり、決定操作の操作性が良好となる。
【００２２】
また、タッチパッド上で、指示体を所定値より小さい押圧力で接触させながら移動させたときに、カーソルをこの指示体の接触位置の移動に応じて移動させるようにすると、カーソルを任意の方向に自在に素早く移動させることができる。従って、カーソルを連続移動させる連続移動操作の操作性を良好にすることができる。
【００２３】
【発明の実施の形態】
以下、本発明の実施の形態を、図面を参照して詳細に説明する。
【００２４】
図１は本発明の実施の形態による携帯端末機としての携帯電話機の外観構成を示す正面図、図２は同携帯電話機の電気的構成を示すブロック図、図３は同携帯電話に搭載されているタッチパッドの詳細図、図４はタッチパッドによるカーソル移動処理および情報の選択決定処理のフローチャートである。
【００２５】
図１および図２において、１はアンテナを示し、２はアンテナ１を介して図示しない無線基地局との無線信号の送受信を行う無線部を示す。そして、３は携帯電話機全体の動作を制御する制御部（制御手段）を示し、４は無線部２によって送受信される無線信号に含まれる音声信号に所定の信号処理を施す音声処理部を示す。また、５は音声処理部４によって処理された音声信号を外部に発するスピーカ、６は外部からの音声を集音して音声処理部４に供給するマイクを示す。
【００２６】
７は情報や携帯電話機の動作状態を表示する表示部（表示手段）、８はキー入力を判定するキー入力部、９は情報の選択の決定およびカーソルの移動をするための操作を行うタッチパッド部（操作手段）を示し、これらアンテナ１、無線部２、制御部３、音声処理部４、スピーカ５、マイク６、表示部７、キー入力部８、およびタッチパッド部９によって携帯電話機が構成されている。
【００２７】
タッチパッド部９は、タッチパッド上を手指、ペン等の指示体が接触することにより、該指示体の接触位置の２次元座標を制御部３に与える。また、タッチパッド部９は、該指示体の押圧力に応じた電気信号を出力し、制御部３に与える。尚、前記押圧力に応じた電気信号を出力するために、タッチパッドの裏面に重ねて圧力センサを設けても良い。
【００２８】
図３において、１０はタッチパッド部９の表面上でタップ操作（軽く叩く操作）が行われたときに、カーソルを、表示部における上方向に、表示されている情報に対応した１移動単位分移動させる上移動領域を示す。そして、１１は同様にしてカーソルを下方向に移動させる下移動領域を示し、１２は同様にしてカーソルを左方向に移動させる左移動領域を示し、１３は同様にしてカーソルを右方向に移動させる右移動領域を示す。更に、１４はタッチパッド部９の表面上でタップ操作が行われたときに、表示部７に表示する情報の選択を決定する決定処理が行われる決定領域を示す。
【００２９】
尚、図３に示すタッチパッド部９は略四角形の形状であるが、他の形状、例えば、略多角形または略円形の形状であっても良い。また、携帯電話機をより小型にして携帯性を向上するために、タッチパッド９は小型のものにすることが好ましい。
【００３０】
次に、図４に示すフローチャートに従って、図１および図２に示す携帯電話機のカーソル移動処理および情報の選択決定処理について説明する。
【００３１】
先ず、制御部３はタッチパッド部９からの信号入力（現入力）、即ち、現在指示体が接触している接触位置の２次元座標が入力されたとき（ステップＳ１）、入力履歴の有無を調べる（ステップＳ２）。ここで入力履歴とは、制御部３が保持している、過去にタッチパッド部９から得た手指、ペン等の指示体の接触位置の２次元座標のことである。
【００３２】
入力履歴が有った場合（ステップＳ２）、制御部３は該入力履歴と現入力との差分計算を行い（ステップＳ３）、この差分計算から得られた結果に応じて、表示部７に、カーソルの移動の指示を与え、これにより表示部７はカーソルを移動させる（ステップＳ４）。そして、制御部３は現入力を新たな入力履歴として保存する（ステップＳ５）。そして、タッチパッド９に新たな入力が入力されるのが待たれる（ステップＳ１）。
【００３３】
一方、入力履歴が無かった場合（ステップＳ２）、制御部３はタッチパッド部９から得られる指示体の押圧力に応じた電気信号のレベルが所定値を超えているかどうかを判別し（ステップＳ６）、所定値を超えていない場合はカーソルの連続移動のための操作であると判断し、現入力を入力履歴に保存する（ステップＳ５）。そして、タッチパッド９に新たな入力が入力されるのが待たれる（ステップＳ１）。
【００３４】
タッチパッド部９から得られる指示体の押圧力に応じた電気信号のレベルが所定値を超えている場合、即ち、押圧力が強い場合は（ステップＳ６）、制御部３はタッチパッド９上で行われた操作をタップ操作であると判断し、次に指示体の接触位置がタッチパッド９上のどの領域であるかを調べる（ステップＳ７、Ｓ８、Ｓ９、Ｓ１０、Ｓ１５）。即ち、タッチパッド部９から得られた接触位置の２次元座標が、図３に示す上移動領域１０の領域内であるかどうかを判別し（ステップＳ７）、上移動領域１０内である場合は（ステップＳ７）、表示部７にカーソルを表示部７における上方向に、現在表示されている情報に応じた１移動単位分移動させる指示を与え、これにより表示部７はカーソルを移動させる（ステップＳ１１）。例えば、文字列が表示されている場合であれば、現在カーソルが指示する文字が属する列であって、現在カーソルが指示する文字が属する行の１段上の行にカーソルを移動させる。そして、タッチパッド９に新たな入力が入力されるのが待たれる（ステップＳ１）。
【００３５】
次に、タッチパッド部９から得られた接触位置の２次元座標が、図３に示す上移動領域１０の領域内でない場合は（ステップＳ７）、制御部３は前記２次元座標が、図３に示す下移動領域１１の領域内かどうかを判別し（ステップＳ８）、下移動領域１１内である場合は（ステップＳ８）、表示部７にカーソルを表示部７における下方向に、現在表示されている情報に応じた１移動単位分移動させる指示を与え、これにより表示部７はカーソルを移動させる（ステップＳ１２）。例えば、文字列が表示されている場合であれば、現在カーソルが指示する文字が属する列であって、現在カーソルが指示する文字が属する行の１段下の行にカーソルを移動させる。そして、タッチパッド９に新たな入力が入力されるのが待たれる（ステップＳ１）。
【００３６】
また、タッチパッド部９から得られた接触位置の２次元座標が、図３に示す下移動領域１１の領域内でない場合は（ステップＳ８）、制御部３は前記２次元座標が、図３に示す左移動領域１２の領域内かどうかを判別し（ステップＳ９）、左移動領域１２内である場合は（ステップＳ９）、表示部７にカーソルを表示部７における左方向に、現在表示されている情報に応じた１移動単位分移動させる指示を与え、これにより表示部７はカーソルを移動させる（ステップＳ１３）。例えば、文字列が表示されている場合であれば、現在カーソルが指示する文字が属する行であって、現在カーソルが指示する文字が属する列の１列左の列にカーソルを移動させる。そして、タッチパッド９に新たな入力が入力されるのが待たれる（ステップＳ１）。
【００３７】
また、タッチパッド部９から得られた接触位置の２次元座標が、図３に示す左移動領域１２の領域内でない場合は（ステップＳ９）、制御部３は前記２次元座標が、図３に示す右移動領域１３の領域内かどうかを判別し（ステップＳ１０）、右移動領域１３内である場合は（ステップＳ１０）、表示部７にカーソルを表示部７における右方向に、現在表示されている情報に応じた１移動単位分移動させる指示を与え、これにより表示部７はカーソルを移動させる（ステップＳ１４）。例えば、文字列が表示されている場合であれば、現在カーソルが指示する文字が属する行であって、現在カーソルが指示する文字が属する列の１列右の列にカーソルを移動させる。そして、タッチパッド９に新たな入力が入力されるのが待たれる（ステップＳ１）。
【００３８】
更に、タッチパッド部９から得られた接触位置の２次元座標が、図３に示す右移動領域１３の領域内でない場合は（ステップＳ１０）、制御部３は前記２次元座標が、図３に示す決定領域１４の領域であると判別し、表示部７に表示された情報の選択を決定したという決定処理を実行する（ステップＳ１５）。例えば、複数のメニュー項目が表示されている場合であれば、該複数のメニュー項目のうち、現在カーソルが指示しているメニュー項目を選択したことを決定する。そして、タッチパッド９に新たな入力が入力されるのが待たれる（ステップＳ１）。
【００３９】
また、制御部３はタッチパッド部９からの入力信号が無かった場合（ステップＳ１）、所定時間が経過したかどうかを判別する（ステップＳ１６）。所定時間が経過していなかった場合（ステップＳ１６）、新たな入力待ち状態となる（ステップＳ１）。一方、所定時間が経過していた場合（ステップＳ１６）、制御部３に保存されている入力履歴を消去する（ステップＳ１７）。そして、タッチパッド９に新たな入力が入力されるのが待たれる（ステップＳ１）。
【００４０】
このようにすることにより、指示体がタッチパッド部９に連続で接触して移動するときのみ、カーソルの連続移動処理が実行される。即ち、指示体がタッチパッド部９に接触した後、一旦離れ、そしてその後再びタッチパッド部９に接触したときに、カーソルが移動することはなく、ユーザの意志に反したカーソルの移動を防止することができる。また、指示体がタッチパッド上を接触しながら移動するときに、所定時間以内の短い時間の間、指示体がタッチパッドから離れても、カーソルの連続移動は継続するので、ユーザの意志に反してカーソルの連続移動が中断することがなく、操作性が良くなる。
【００４１】
以上のようにして本発明の実施の形態による携帯端末機としての携帯電話機のカーソル移動処理および情報の選択決定処理が行われる。本実施形態によれば、カーソル移動操作および情報の選択決定操作の入力装置としてタッチパッド部９を用いたことにより、携帯電話機の形状を小型、平面的にすることができるので、携帯電話機の携帯性を良好にすることができる。
【００４２】
また、手指、ペン等の指示体をタッチパッド部９の表面上に接触させながら移動させることにより、カーソルを前記指示体の移動に応じて任意の方向に自在に連続移動させることができるので、カーソルの連続移動操作の操作性が良好となる。更に、指示体がタッチパッド部９に連続で接触して移動するときのみ、カーソルの連続移動処理が実行されるので、ユーザの意志に反したカーソルの移動を防止することができる。
【００４３】
また、上記タップ操作をタッチパッド部９上の上方付近、下方付近、左方付近、および右方付近で行うことにより、カーソルをそれぞれ表示部７における上方、下方、左方、および右方に１移動単位分移動させるカーソル移動処理を、ユーザにとって理解が容易な方法で、簡単に行うことができるので、カーソルを１移動単位分移動させる単一移動操作の操作性が良好となる。また、カーソル移動操作のために、矢印キー等の他の入力装置を必要としないので、省スペース化が図れ、携帯端末機の形状を小型化し、携帯性を向上することができる。また、低コスト化にもなる。
【００４４】
更に、タッチパッド部９上の中央付近でタップ操作を行うことにより、表示部７に表示された情報の選択を決定する決定処理を行うことができるので、ユーザは、情報の決定操作を理解が容易な簡単な方法で行うことができ、情報の決定操作の操作性が良好となる。また、情報の選択決定操作のために、決定キー等の他の入力装置を必要としないので、省スペース化が図れ、携帯端末機の形状を小型化し、携帯性を向上することができる。また、低コスト化にもなる。
【００４５】
また、本実施形態によれば、頻繁に使用される決定操作および単一移動操作の操作性を良好としたままで、カーソルの連続移動を容易に行うことができるので、例えば、携帯端末機によってブラウザを閲覧するときに、表示された複数のメニュー項目の中から所望のメニュー項目を選択する操作や、電話を発呼するときに、表示された複数の電話番号の中から所望の電話番号を選択する操作等の操作性を向上することができる。
【００４６】
尚、本実施形態によれば、上述したように、タッチパッド９の決定領域１４上で１回行うタップ操作は、ポインティングデバイスの代表的な装置であるマウスのクリック操作に相当する情報の選択を決定する決定操作となるが、連続して２回行うタップ操作を、マウスのダブルクリック操作に相当する所定の処理実行操作とすることも可能である。
【００４７】
また、本実施形態によれば、上述したように、タッチパッド９の上移動領域１０、下移動領域１１、左移動領域１２、および右移動領域１３の領域内でタップ操作を行うごとに、カーソルを、移動領域に応じた方向に、表示された情報に応じた所定距離（１移動単位分）移動させるようにしているが、上移動領域１０、下移動領域１１、左移動領域１２、および右移動領域１３の領域内を所定値を超える圧力で押下している間は、カーソルをそれぞれの移動領域に応じた方向に連続移動させるようにしても良い。
【００４８】
【発明の効果】
以上のように本発明の携帯端末機によれば、タッチパッドを用いることにより、携帯端末機の形状を小型および平面的にすることができ、携帯性が良好となる。
【００４９】
また、カーソルの移動操作に関して、カーソルを表示画面における任意の方向に素早く移動させる連続移動操作と、カーソルを表示画面上における上下左右方向に、表示された情報に応じた所定距離（１移動単位分）移動する単一移動操作とが、他のキーを操作せず、タッチパッドのみを操作する、ユーザにわかりやすい簡単な操作で行うことができるので、カーソルの移動操作の操作性が良好となる。
【００５０】
更に、表示された情報の選択を決定する決定操作に関しても、他のキーを操作せず、タッチパッドのみを操作する、ユーザにわかりやすい簡単な操作で行うことができるので、情報の選択決定操作の操作性が向上する。
【図面の簡単な説明】
【図１】は、本発明の実施の形態による携帯端末機としての携帯電話機の外観構成を示す正面図である。
【図２】は、本発明の実施の形態による携帯端末機としての携帯電話機の電気的構成を示すブロック図である。
【図３】は、本発明の実施の形態による携帯端末機としての携帯電話機に搭載されているタッチパッドの詳細図である。
【図４】は、タッチパッドによるカーソル移動処理および情報の選択決定処理のフローチャートである。
【符号の説明】
１    アンテナ
２    無線部
３    制御部（制御手段）
４    音声処理部
５    スピーカ
６    マイク
７    表示部（表示手段）
８    キー入力部
９    タッチパッド（操作手段）
１０    上移動領域
１１    下移動領域
１２    左移動領域
１３    右移動領域
１４    決定領域
【図１】
2004166109.tif 000003
【図２】
2004166109.tif 000004
【図３】
2004166109.tif 000005
【図４】
2004166109.tif 000006